(57)【要約】【課題】本体の大きさを抑えながら、吸気口、排気口、および左右一対のスピーカーを大きくすることができるプロジェクターを提供する。【解決手段】プロジェクター１の本体２の左面２Ｌには、吸気口７と、吸気口７を開放または閉塞可能なスピーカー４１Ｌとを備える。また、本体２の右面２Ｒには、排気口８と、排気口８を開放または閉塞可能なスピーカー４１Ｒとを備える。【選択図】図１
2014238435.tif 000002
【特許請求の範囲】
【請求項１】
光源から射出された光を画像情報に応じて変調し、投写光を投写する画像投写手段と、これらを収容する本体を有するプロジェクターであって、
前記画像情報とともに入力される音声情報に基づく音声を発する左右一対のスピーカーと、
前記本体に備えられた吸気口より取り込んだ空気により前記本体内部を冷却し、前記本体に備えられた排気口より前記空気を排出する冷却手段と、を備え、
前記吸気口は前記本体の第１の結合面に備えられ、前記排気口は前記本体の第２の結合面に備えられ、
前記一対のスピーカーはそれぞれ前記第１の結合面、前記第２の結合面において前記吸気口、前記排気口を閉塞、または開放可能に備えられたことを特徴とするプロジェクター。
【請求項２】
請求項１に記載のプロジェクターにおいて、
前記一対のスピーカーが前記吸気口、および前記排気口を開放または閉塞しているかを検出する開閉検出手段をさらに備え、
当該プロジェクターが電源オンするときに前記一対のスピーカーにより前記吸気口および前記排気口の両方が開放されていることを検出した場合に前記光源を点灯し、前記画像投写手段による投写を行うことを特徴とするプロジェクター。
【請求項３】
請求項１に記載のプロジェクターにおいて、
前記一対のスピーカーが前記吸気口、および前記排気口を開放または閉塞しているかを検出する開閉検出手段をさらに備え、
当該プロジェクターが電源オンするときに前記一対のスピーカーにより前記吸気口、および前記排気口のうち少なくとも一方が閉塞されていることを検出した場合に前記光源を点灯せず、前記画像投写手段による投写を行わないことを特徴とするプロジェクター。
【請求項４】
請求項３に記載のプロジェクターにおいて、
当該プロジェクターが電源オンし、前記光源を消灯している状態において、前記一対のスピーカーにより前記吸気口および前記排気口の両方が開放されたことを検出した場合に前記光源を点灯し、前記画像投写手段による投写を行うことを特徴とするプロジェクター。
【請求項５】
請求項２に記載のプロジェクターにおいて、
当該プロジェクターが画像を投写中に、前記一対のスピーカーにより前記吸気口、および前記排気口のうち少なくとも一方が閉塞されたことを検出した場合に報知し、閉塞された状態が所定時間継続した場合に前記光源を消灯し、前記画像投写手段による投写を中止することを特徴とするプロジェクター。
【請求項６】
請求項１乃至５のいずれか一項に記載のプロジェクターにおいて、
さらに前記一対のスピーカーを前記本体に対して回動可能に連結する連結機構を備えたことを特徴とするプロジェクター。
【発明の詳細な説明】
【技術分野】
【０００１】
本発明は、画像を投写するプロジェクターに関する。
【背景技術】
【０００２】
従来、画像をスクリーン等の投写面に投写するプロジェクターにおいて、ＤＶＤ（Digital Versatile Disc）等の記録媒体に記録されている画像情報を再生する画像再生手段と音声を出力するスピーカーを一体的に備えたものが知られている（特許文献１）。このようなプロジェクターによれば、外部の再生装置等を接続する必要がなく、記録媒体に記録させている画像情報に基づく画像、および音声を容易に鑑賞することができる。
【先行技術文献】
【特許文献】
【０００３】
【特許文献１】特開２００５−９９６１７号公報
【発明の概要】
【発明が解決しようとする課題】
【０００４】
しかしながら、プロジェクターには投写光を射出する投写口、プロジェクター本体の内部を冷却するための空気を取り込み、排出する、吸気口および排気口、外部の画像機器を接続する入力端子、電源端子、ＤＶＤ等の記録媒体の挿入口、左右一対のスピーカー、プロジェクターを操作するための各種操作キーなどをプロジェクター本体の外面に配置しなければならない。このため、吸気口、排気口、およびスピーカーの大きさが制限されることになり、冷却効率や音量が制限されるという課題があった。
【課題を解決するための手段】
【０００５】
本発明は、上述した課題の少なくとも一部を解決するためになされたものであり、以下の形態または適用例として実現することが可能である。
【０００６】
［適用例１］本適用例に係るプロジェクターは、光源から射出された光を画像情報に応じて変調し、投写光を投写する画像投写手段と、これらを収容する本体を有するプロジェクターであって、前記画像情報とともに入力される音声情報に基づく音声を発する左右一対のスピーカーと、前記本体に備えられた吸気口より取り込んだ空気により前記本体内部を冷却し、前記本体に備えられた排気口より前記空気を排出する冷却手段と、を備え、前記吸気口は前記本体の第１の結合面に備えられ、前記排気口は前記本体の第２の結合面に備えられ、前記一対のスピーカーはそれぞれ前記第１の結合面、前記第２の結合面において前記吸気口、前記排気口を閉塞、または開放可能に備えられたことを特徴とする。
【０００７】
本適用例によれば、左右一対のスピーカーが、プロジェクター本体の第１の結合面に備えられた吸気口、および第２の結合面に備えられた排気口を、それぞれ閉塞または開放する。つまりプロジェクターを使用しないときは、スピーカーにより吸気口および排気口を閉塞し、プロジェクターを使用するときには吸気口および排気口を開放する。これにより、プロジェクター本体の大きさを抑えながら、投写レンズや画像入力端子、記憶媒体の挿入口などをプロジェクター本体の他の面に配置しやすくなる。また吸気口、排気口、および左右一対のスピーカーをより大きくすることができるので、冷却効率を向上させ、より大きな音声を出力することが可能となる。さらに、プロジェクターを使用しないときには、スピーカーで吸気口および排気口を閉塞するので、吸気口、排気口から異物が本体の内部に侵入するのを防止することができる。
【０００８】
［適用例２］上記適用例に記載のプロジェクターにおいて、前記一対のスピーカーが前記吸気口、および前記排気口を開放または閉塞しているかを検出する開閉検出手段をさらに備え、当該プロジェクターが電源オンするときに前記一対のスピーカーにより前記吸気口および前記排気口の両方が開放されていることを検出した場合に前記光源を点灯し、前記画像投写手段による投写を行うことが好ましい。
【０００９】
本適用例によれば、プロジェクターが電源オンするとき、左右一対のスピーカーが吸気口、排気口の両方を開放している場合に、光源を点灯して画像の投写を行う。このため、プロジェクター本体内部の冷却を確実に行うことができる。
【００１０】
［適用例３］上記適用例に記載のプロジェクターにおいて、前記一対のスピーカーが前記吸気口、および前記排気口を開放または閉塞しているかを検出する開閉検出手段をさらに備え、当該プロジェクターが電源オンするときに前記一対のスピーカーにより前記吸気口、および前記排気口のうち少なくとも一方が閉塞されていることを検出した場合に前記光源を点灯せず、前記画像投写手段による投写を行わないことが好ましい。
【００１１】
本適用例によれば、プロジェクターが電源オンするとき、吸気口、排気口のいずれかが閉塞されていたら光源を点灯せず、画像の投写を行わないので、プロジェクター内部を冷却するための吸気口、および排気口が閉塞された状態で光源が点灯し、画像の投写を始めてしまうことを防止することが可能となる。
【００１２】
［適用例４］上記適用例に記載のプロジェクターにおいて、当該プロジェクターが電源オンし、前記光源を消灯している状態において、前記一対のスピーカーにより前記吸気口および前記排気口の両方が開放されたことを検出した場合に前記光源を点灯し、前記画像投写手段による投写を行うことが好ましい。
【００１３】
本適用例によれば、プロジェクターの電源オンするときに吸気口、排気口のいずれかが閉塞されており、光源を点灯せず画像の投写を行わない状態で起動した後、吸気口、および排気口の両方を開放することにより、光源を点灯し、画像の投写を開始する。これにより、吸気口、排気口の開放を忘れた状態で電源オンした場合、吸気口、排気口の両方を開放することで、光源を点灯させて画像の投写を開始することが可能となる。
【００１４】
［適用例５］上記適用例に記載のプロジェクターにおいて、当該プロジェクターが画像を投写中に、前記一対のスピーカーにより前記吸気口、および前記排気口のうち少なくとも一方が閉塞されたことを検出した場合に報知し、閉塞された状態が所定時間継続した場合に前記光源を消灯し、前記画像投写手段による投写を中止することが好ましい。
【００１５】
本適用例によれば、誤ってスピーカーにより、吸気口、排気口を閉塞してしまった場合には、報知することにより、吸気口、排気口の開放を促すことができる。また、閉塞された状態が所定時間継続したら、光源を消灯して画像の投写を中止することが可能となる。これにより、冷却不良によるプロジェクターの不具合の発生を防止することができる。
【００１６】
［適用例６］上記適用例に記載のプロジェクターにおいて、さらに前記一対のスピーカーを前記本体に対して回動可能に連結する連結機構を備えることが好ましい。
【００１７】
本適用例によれば、スピーカーを本体に回動可能に連結する連結機構により、スピーカーを回動させるという簡易な操作で、吸気口、および排気口を閉塞または開放することが可能となる。
【図面の簡単な説明】
【００１８】
【図１】実施形態に係るプロジェクターの外観斜視図。
【図２】実施形態に係るプロジェクターの回路構成を示すブロック図。
【図３】プロジェクターが電源オンするときの動作を示すフローチャート。
【図４】プロジェクターが動作中に吸気口および排気口の開閉状態の変化を検出したときの動作を示すフローチャート。
【図５】変形例１に係るプロジェクターの外観斜視図。
【発明を実施するための形態】
【００１９】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２０】
（実施形態）
図１は、本実施形態のプロジェクター１の外観斜視図であり、同図（ａ）はプロジェクター１の本体２にスピーカー４１が装着され、吸気口７と排気口８が両方とも閉塞された状態を斜め後方から見た図、同図（ｂ）はプロジェクター１の本体２からスピーカー４１が外され、吸気口７と排気口８が開放された状態を斜め後方から見た図、同図（ｃ）はプロジェクター１の本体２を斜め前方から見た図である。なお、本実施形態では画像を投写する方向を前方として説明する。
【００２１】
図１に示すように、本実施形態のプロジェクター１は、外観上、本体２とスピーカー４１（４１Ｌ，４１Ｒ）とから構成される。
プロジェクター１の本体２の左面２Ｌには、吸気口７と、脱着することで吸気口７を開放または閉塞可能な左のスピーカー４１Ｌとが備えられている。また、本体２内部の吸気口７の内側には図示しない吸気ファン４６が備えられている。なお、左面２Ｌが第１の結合面に相当する。
【００２２】
本体２の右面２Ｒには、排気口８と、脱着することで排気口８を開放または閉塞可能な右のスピーカー４１Ｒとが備えられている。また、本体２内部の排気口８の内側には図示しない排気ファン４７が備えられている。なお、右面２Ｒが第２の結合面に相当する。また、左のスピーカー４１Ｌと右のスピーカー４１Ｒとにより、一対のスピーカー４１が構成される。
【００２３】
また、左面２Ｌおよび右面２Ｒには、吸気口７および排気口８が、開放または閉塞のいずれの状態にあるかを検出する開閉検出手段４２が備えられている。
また、本体２の上面２Ｔには、複数の操作キーから構成されプロジェクター１に各種指示を行うための入力操作手段２３と、プロジェクター１の動作状態を報知する報知手段４３とが備えられている。
【００２４】
また、本体２の後面２Ｓには、入力端子６と、ＤＶＤメディアＭを挿入するためのディスクスロット３とが設けられている。
また、本体２の前面２Ｆには、外部のスクリーンＳＣ（図２参照）等に画像を投写する投写レンズ１３が露出している。
【００２５】
吸気口７、排気口８、吸気ファン４６、排気ファン４７は、冷却手段を構成している。冷却手段は、吸気ファン４６により吸気口７から本体２内部に空気を取り入れ、本体２内部を冷却して温められた空気を、排気ファン４７により排気口８から排出させる。
【００２６】
図２は、本実施形態のプロジェクター１の回路構成を示すブロック図である。
図２に示すように、本体２は、入力端子６、画像投写手段１０、ＯＳＤ処理手段１６、画像信号処理手段１７、信号入力手段１８、制御手段２０、記憶手段２１、光源制御手段２２、入力操作手段２３、電源端子３０、電源部３１、音声信号処理手段４０、開閉検出手段４２、報知手段４３、冷却制御手段４５、ＤＶＤ再生手段５０等で構成されており、これらは本体２の内部または外面に配置されている。
【００２７】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。
【００２８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ対応する液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
【００３０】
液晶駆動手段１４が、入力される画像データに応じた駆動電圧を各画素に印加すると、各画素は、画像データに応じた光透過率に設定される。このため、光源１１から射出された光は、この液晶ライトバルブ１２Ｒ，１２Ｇ，１２Ｂを透過することによって変調され、画像データに応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３１】
本実施形態では、光源として光源ランプ１１ａを用いて投写するプロジェクター１を例示したが、光源としてＬＥＤ（Light emitting diode）光源やレーザー光源などを用いて投写するプロジェクターにも適用することができる。
【００３２】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３３】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、時間を計時するタイマー（図示せず）を含む。
【００３４】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００３５】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、ＤＶＤメディアＭの              再生を開始させるための再生キー、ＤＶＤメディアＭの再生を停止するための停止キー、ＤＶＤメディアＭをプロジェクター１から取り出すためのイジェクトキー、複数の入力端子６およびＤＶＤメディアＭから、画像信号の入力元を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー等がある。
【００３６】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３７】
光源制御手段２２は、制御手段２０の指示に基づいて、光源１１に対する電力の供給と停止とを制御し、光源１１の点灯および消灯を切り替える。
【００３８】
信号入力手段１８は、複数の入力端子６より、ビデオ再生装置やパーソナルコンピューター等、外部の画像出力装置から、図示しないケーブル、又は通信機器などを介して画像信号（画像情報ともいう）、および音声信号（音声情報ともいう）が入力される。また、ＤＶＤ再生手段５０より画像情報、および音声情報が入力される。入力された画像信号、および音声信号は、制御手段２０の指示に基づき、画像信号処理手段１７、および音声信号処理手段４０に出力される。
【００３９】
ユーザーが入力操作手段２３の入力切替キーを操作して所望の入力端子６の画像情報またはＤＶＤメディアＭの画像情報を指定すると、制御手段２０は指定された画像情報および音声情報が画像信号処理手段１７および音声信号処理手段４０に出力されるよう、信号入力手段１８に指示をする。なお、信号入力手段１８は、無線通信や光通信などの受信部を備え、外部機器から無線によって信号を入力する構成にしてもよい。
【００４０】
ＤＶＤ再生手段５０は、ＤＶＤメディアＭに記録された画像情報、および音声情報を再生するものである。
また、ＤＶＤ再生手段５０は、挿入センサー５１、メディア搬送手段５２、装着センサー５３、データ読取手段５４、データ処理手段５５等を含んで構成されている。
【００４１】
挿入センサー５１は、ディスクスロット３（図１参照）の近傍に配置され、ＤＶＤメディアＭの一部がディスクスロット３に挿入されたことを検出して制御手段２０に通知する。
【００４２】
メディア搬送手段５２は、ＤＶＤメディアＭを搬送するための搬送ローラー、および搬送ローラーを回転駆動する駆動モーター（いずれも図示せず）等によって構成され、制御手段２０の指示に基づいて、ＤＶＤ再生手段５０内におけるＤＶＤメディアＭの搬送を行う。
【００４３】
具体的には、ユーザーがＤＶＤメディアＭの一部をディスクスロット３に挿入し、挿入センサー５１がこの挿入を検出すると、制御手段２０は、メディア搬送手段５２に指示をして、ＤＶＤメディアＭを内部に引き込んでターンテーブル（図示せず）上に装着させる。また、ユーザーにより入力操作手段２３のイジェクトキーが操作されると、制御手段２０は、メディア搬送手段５２に指示をして、ターンテーブルからＤＶＤメディアＭを離脱させ、ＤＶＤメディアＭをディスクスロット３から排出させる。
【００４４】
装着センサー５３は、ターンテーブルの近傍に配置され、ターンテーブルにＤＶＤメディアＭが装着されていることを検出して制御手段２０に通知する。
【００４５】
データ読取手段５４は、制御手段２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取手段５４によって読み取られたデータストリームは、データ処理手段５５に順次出力される。
【００４６】
データ処理手段５５は、デマルチプレクサーやデコーダー等で構成され、制御手段２０の指示に基づいて、データ読取手段５４から入力されるデータストリームを画像情報と音声情報とに分離する処理や、分離した画像情報および音声情報をデコード（復号化）する処理等を行う。
【００４７】
データ処理手段５５は、復号化された画像情報および音声情報を信号入力手段１８に出力する。なお、ＤＶＤ再生手段５０が、ＤＶＤメディアＭからデータストリームを読み取って、このデータストリームに基づく画像情報および音声情報を出力することを、本明細書では「画像情報を再生する」又は「ＤＶＤを再生する」と表記する。
【００４８】
制御手段２０は、入力操作手段２３の再生キーの操作を受け付けると、ＤＶＤ再生手段５０に指示をして、画像情報の再生を開始させ、入力操作手段２３の停止キーの操作を受け付けると、ＤＶＤ再生手段５０に指示をして、画像情報の再生を停止させる。
【００４９】
挿入センサー５１、および装着センサー５３は、例えば、メカニカルスイッチ、光センサー、磁気センサー等の各種検出手段を用いて構成することができる。また、装着センサー５３に関しては、上述した光ピックアップが受光する反射光の信号レベルによってＤＶＤメディアＭの装着の有無を検出する態様とすることも可能である。
【００５０】
画像信号処理手段１７は、制御手段２０の指示に基づき、信号入力手段１８から入力される画像信号を、液晶ライトバルブ１２Ｒ，１２Ｇ，１２Ｂの各画素の階調を表す画像データに変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００５１】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像データを記憶している。
【００５２】
制御手段２０が、ＯＳＤ画像の重畳表示を指示すると、ＯＳＤ処理手段１６は、必要なＯＳＤ画像データをＯＳＤメモリーから読み出し、投写画像上の所定の位置にＯＳＤ画像が重畳されるように、画像信号処理手段１７から入力される画像データにこのＯＳＤ画像データを合成する。ＯＳＤ画像データが合成された画像データは、液晶駆動手段１４に出力される。
なお、制御手段２０からＯＳＤ画像を重畳する旨の指示がない場合には、ＯＳＤ処理手段１６は、画像信号処理手段１７から入力される画像データを、そのまま液晶駆動手段１４に出力する。
【００５３】
液晶駆動手段１４が、ＯＳＤ処理手段１６より入力される画像データに従って液晶ライトバルブ１２Ｒ，１２Ｇ，１２Ｂを駆動すると、画像データに応じた画像が投写レンズ１３より投写され、スクリーンＳＣの投写面に投写画像が表示される。
【００５４】
音声信号処理手段４０は、信号入力手段１８より入力された音声情報を制御手段２０の指示に基づいて増幅し、スピーカー４１に出力する。
【００５５】
スピーカー４１はスピーカー４１Ｌ，４１Ｒの左右一対で構成され、音声信号処理手段４０から入力される音声情報をユーザーに聞こえる可聴情報として出力する。スピーカー４１には音声信号処理手段４０から有線ケーブルまたは無線により音声信号が入力される。
【００５６】
開閉検出手段４２は、図示しないメカスイッチ、またはフォトセンサーなどで構成され、スピーカー４１Ｌ，４１Ｒが本体２に装着され、吸気口７、および排気口８を閉塞または開放しているかを調べてその検出結果を制御手段２０に通知する。
【００５７】
報知手段４３は、ＬＥＤ、ブザー等から構成され、制御手段２０の指示に基づき、プロジェクター１の各種動作状態を報知する。本実施形態では報知手段４３は、吸気口７、排気口８の少なくとも一方が閉塞されている状態を報知する。
【００５８】
冷却制御手段４５は制御手段２０の指示に基づき、吸気ファン４６および排気ファン４７の回転を制御して本体２の内部の冷却を行う。制御手段２０は、スピーカー４１Ｌ，４１Ｒがともに本体２から外され、吸気口７および排気口８を開放している場合には光源１１を点灯させ、吸気ファン４６および排気ファン４７を動作させて画像を投写させる。また、スピーカー４１Ｌ，４１Ｒの少なくとも一方が本体２に装着され、吸気口７、排気口８の少なくとも一方が閉塞されている場合には光源１１を消灯させ、吸気ファン４６および排気ファン４７の動作を停止させて画像の投写を中止する。
【００５９】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００６０】
次に、本実施形態のプロジェクター１の動作を図３および図４のフローチャートを用いて説明する。図３はプロジェクター１が電源オンするときの動作、図４はプロジェクター１が動作中に開閉検出手段４２が吸気口７および排気口８の開閉状態の変化を検出したときの動作を示すフローチャートである。
【００６１】
〔プロジェクターが電源オンするとき〕
図３に示すように、プロジェクター１が入力操作手段２３の電源キーなどにより電源オン操作を受け付けると（ステップＳ１０１）、制御手段２０は、プロジェクター１の画像投写系以外の各部分を起動（本体起動）し（ステップＳ１０２）、ステップＳ１０３に遷移する。
【００６２】
ステップＳ１０３において、制御手段２０は、開閉検出手段４２の検出結果に基づき吸気口７および排気口８の両方が開放されているか否かを調べる。吸気口７、排気口８の両方が開放されている場合（ステップＳ１０３：Ｙ）には、ステップＳ１０４に遷移する。吸気口７および排気口８の少なくとも一方が閉塞されている場合（ステップＳ１０３：Ｎ）には、ステップＳ１０５に遷移する。
【００６３】
ステップＳ１０４において、制御手段２０は、光源制御手段２２により光源１１を点灯させ、ステップＳ１０６に遷移する。
【００６４】
ステップＳ１０５において、制御手段２０は、報知手段４３により、吸気口７、排気口８の少なくとも一方が閉塞されていることを報知させ、ステップＳ１０８に遷移する。
【００６５】
ステップＳ１０６において、制御手段２０は、冷却制御手段４５に指示をして吸気ファン４６および排気ファン４７を回転させて冷却動作を開始させる。次にステップＳ１０７に遷移する。
【００６６】
ステップＳ１０７において、制御手段２０は、画像投写手段１０により画像の投写を開始させ、ステップＳ１０８に遷移する。
【００６７】
ステップＳ１０８において、本動作フローを終了する。
【００６８】
なお、上述したステップＳ１０２において、スピーカー４１より音声を出力するようにしてもよい。つまり、吸気口７、排気口８のいずれかが閉塞されていた場合、画像の投写を行わず、音声の出力のみ行うことが可能となる。
【００６９】
〔吸気口および排気口の開閉状態の変化を検出したとき〕
図４に示すように、プロジェクター１が動作中に、開閉検出手段４２により、吸気口７、排気口８の開閉状態の変化を検出すると（ステップＳ２０１）、ステップＳ２０２に遷移する。
【００７０】
ステップＳ２０２において、制御手段２０は、開閉検出手段４２の検出結果に基づき吸気口７および排気口８の両方が開放されているか否かを調べる。吸気口７、排気口８の両方が開放されている場合（ステップＳ２０２：Ｙ）には、ステップＳ２０３に遷移する。吸気口７および排気口８の少なくとも一方が閉塞されている場合（ステップＳ２０２：Ｎ）には、ステップＳ２１０に遷移する。
【００７１】
ステップＳ２０３において、制御手段２０は、光源１１が消灯しているか否かを調べる。光源１１が消灯している場合（ステップＳ２０３：Ｙ）には、ステップＳ２０４に遷移する。光源１１が点灯している場合（ステップＳ２０３：Ｎ）にはステップＳ２０６に遷移する。
【００７２】
ステップＳ２０４において、制御手段２０は、光源制御手段２２により光源１１を点灯させ、ステップＳ２０５に遷移する。
【００７３】
ステップＳ２０５において、制御手段２０は、冷却制御手段４５に指示をして吸気ファン４６および排気ファン４７を回転させて冷却動作を開始させる。次にステップＳ２０６に遷移する。
【００７４】
ステップＳ２０６において、制御手段２０は、画像投写手段１０により画像を投写させ、ステップＳ２１８に遷移する。
【００７５】
ステップＳ２１０において、制御手段２０は、光源１１が点灯しているか否かを調べる。光源１１が点灯している場合（ステップＳ２１０：Ｙ）には、ステップＳ２１１に遷移する。光源１１が消灯している場合（ステップＳ２１０：Ｎ）にはステップＳ２１８に遷移する。
【００７６】
ステップＳ２１１において、制御手段２０は、報知手段４３により、吸気口７、排気口８の少なくとも一方が閉塞されていることを報知し、ステップＳ２１２に遷移する。
【００７７】
ステップＳ２１２において、制御手段２０は、タイマーによる計時を開始し、ステップＳ２１３に遷移する。
【００７８】
ステップＳ２１３において、制御手段２０は、開閉検出手段４２の検出結果に基づき、吸気口７および排気口８の両方が開放されているか否かを調べる。吸気口７、排気口８の両方が開放されている場合（ステップＳ２１３：Ｙ）には、ステップＳ２１５に遷移する。吸気口７および排気口８の少なくとも一方が閉塞されている場合（ステップＳ２１３：Ｎ）には、ステップＳ２１４に遷移する。
【００７９】
ステップＳ２１４において、制御手段２０は、タイマーが所定の時間Ｔ１（例えば５秒）を経過したか否かを調べる。タイマーが所定の時間Ｔ１を経過した場合（ステップＳ２１４：Ｙ）には、ステップＳ２１６に遷移する。タイマーが所定の時間Ｔ１を経過していない場合（ステップＳ２１４：Ｎ）には、ステップＳ２１３に遷移する。
【００８０】
ステップＳ２１５において、制御手段２０は、報知手段４３による報知を終了させ、ステップＳ２１８に遷移する。
【００８１】
ステップＳ２１６において、制御手段２０は、光源制御手段２２により光源１１を消灯させ、ステップＳ２１７に遷移する。
【００８２】
ステップＳ２１７において、制御手段２０は、冷却制御手段４５に指示して吸気ファン４６および排気ファン４７の回転を停止させ、冷却動作を停止させる。次にステップＳ２１８に遷移する。
【００８３】
ステップＳ２１８において、本動作フローを終了する。
【００８４】
上述した実施形態によれば、以下の効果を得られる。
本実施形態のプロジェクター１によれば、左右一対のスピーカー４１が、プロジェクター１の本体２の、第１の結合面（左面２Ｌ）に備えられた吸気口７、および第２の結合面（右面２Ｒ）に備えられた排気口８を、それぞれ閉塞または開放する。つまり、プロジェクター１を使用しないときは、スピーカー４１により吸気口７および排気口８を閉塞し、プロジェクター１を使用するときには吸気口７および排気口８を開放する。つまり、プロジェクター１の本体２の大きさを抑えながら、投写レンズ１３や入力端子６、記憶媒体の挿入口などを本体２の他の面に配置しやすくなり、また吸気口７、排気口８、および左右一対のスピーカー４１をより大きくすることができるので、冷却効率を向上させ、より大きな音声を出力することが可能となる。さらに、プロジェクター１を使用しないときには、スピーカー４１で吸気口７および排気口８を閉塞するので、吸気口７、排気口８から異物が本体２の内部に侵入するのを防止することができる。
【００８５】
また、プロジェクター１が電源オンするとき、左右一対のスピーカー４１が吸気口７、排気口８の両方を開放している場合に、光源１１を点灯して画像の投写を行う。このため、プロジェクター１の本体２内部の冷却を確実に行うことができる。また、吸気口７、排気口８のいずれかが閉塞されていたら光源１１を点灯せず、画像の投写を行わないので、プロジェクター１の内部を冷却するための吸気口７および排気口８が閉塞された状態で光源１１が点灯し、画像の投写を始めてしまうことを防止することが可能となる。
【００８６】
また、プロジェクター１が電源オンするときに吸気口７、排気口８のいずれかが閉塞されており、光源１１を点灯せず画像の投写を行わない状態で起動した後、吸気口７および排気口８の両方を開放することにより、光源１１を点灯し、画像の投写を開始する。これにより、吸気口７、排気口８の開放を忘れた状態で電源オンした場合、吸気口７および排気口８の両方を開放することで、光源１１を点灯させて画像の投写を開始することが可能となる。
【００８７】
また、誤ってスピーカー４１により、吸気口７または排気口８を閉塞してしまった場合には、報知することにより、吸気口７および排気口８の開放を促すことができる。また、閉塞された状態が所定時間継続したら、光源１１を消灯して画像の投写を中止することが可能となる。これにより、冷却不良によるプロジェクター１の不具合の発生を防止することができる。
【００８８】
また、画像の投写を中止したい場合、スピーカー４１により、吸気口７および排気口８の少なくとも一方を閉塞することで、光源１１を消灯させ、画像の投写を中止することができる。
【００８９】
また、上記実施形態は、以下のように変更してもよい。
（変形例１）
上述した実施形態では、スピーカー４１は、本体２から脱着可能に設置されている。しかし、スピーカー４１は、本体２に対して回動可能に連結する連結機構を介して設置されていてもよい。
【００９０】
図５は、変形例１に係るプロジェクター１の外観斜視図であり、同図（ａ）はプロジェクター１のスピーカー４１を回動し、吸気口７と排気口８とが閉塞された状態を斜め後方から見た図、同図（ｂ）はプロジェクター１のスピーカー４１を回動し、吸気口７と排気口８とが開放された状態を斜め後方から見た図、同図（ｃ）はプロジェクター１のスピーカー４１を回動し、吸気口７と排気口８とが開放された状態を斜め前方から見た図である。
【００９１】
図５に示すように、プロジェクター１の本体２の左面２Ｌには、吸気口７と、回動することで吸気口７を開放または閉塞可能な左のスピーカー４１Ｌとが備えられている。また、右面２Ｒには、排気口８と、回動することで排気口８を開放または閉塞可能な右のスピーカー４１Ｒとが備えられている。それぞれのスピーカー４１は、連結機構４１Ｐにより、本体２に対して回動可能に連結されている。
【００９２】
変形例１によれば、スピーカー４１を回動するという簡易な操作により、吸気口７および排気口８を開放または閉塞することができる。
【符号の説明】
【００９３】
１…プロジェクター、２…本体、２Ｌ…左面（第１の結合面）、２Ｒ…右面（第２の結合面）、３…ディスクスロット、６…入力端子、７…吸気口、８…排気口、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…信号入力手段、２０…制御手段、２１…記憶手段、２２…光源制御手段、２３…入力操作手段、３０…電源端子、３１…電源部、４０…音声信号処理手段、４１…スピーカー、４１Ｌ…左のスピーカー、４１Ｒ…右のスピーカー、４１Ｐ…連結機構、４２…開閉検出手段、４３…報知手段、４５…冷却制御手段、４６…吸気ファン、４７…排気ファン、５０…ＤＶＤ再生手段、５１…挿入センサー、５２…メディア搬送手段、５３…装着センサー、５４…データ読取手段、５５…データ処理手段、ＳＣ…スクリーン。
【図１】
2014238435.tif 000003
【図２】
2014238435.tif 000004
【図３】
2014238435.tif 000005
【図４】
2014238435.tif 000006
【図５】
2014238435.tif 000007